(57)【要約】【課題】放電電極部より帯電微粒子液滴を発散させる静電霧化装置において、簡単な構造によって広い領域に帯電微粒子液滴を効率よく発散させることができる静電霧化装置を提供することを課題とするものである。【解決手段】放電電極部１１に水を補給して高電圧を印加することで放電電極部１１より帯電微粒子液滴を発散させる静電霧化装置Ａにおいて、放電電極部１１を回転させる回転駆動部２０と、回転駆動部２０を制御する制御部３１と、を備え、回転駆動部２０は、回転動力を生じるモータ部２２と、モータ部２２に接続されて先端に放電電極部１１が配設された回転支持軸２１と、を有して、帯電微粒子液滴の発散方向を変化させるものである。【選択図】図１
2008086961.tif 000002
【特許請求の範囲】
【請求項１】
放電電極部に水を補給して高電圧を印加することで放電電極部より帯電微粒子液滴を発散させる静電霧化装置において、放電電極部を回転させる回転駆動部と、回転駆動部を制御する制御部と、を備え、回転駆動部は回転動力を生じるモータ部と、モータ部に接続され放電電極部を有する静電無化ユニットが配設された回転支持軸とを備え、放電電極部の軸線と交差する回転軸を有するものであって、放電電極部を回転させることにより、帯電微粒子液滴の発散方向を変化させるものであることを特徴とする静電霧化装置。
【請求項２】
放電電極部の軸線と回転軸との交差角が変更可能であることを特徴とする請求項１記載の静電霧化装置。
【請求項３】
回転支持軸は中程に屈曲部を有するものであることを特徴とする請求項１又は２記載の静電霧化装置。
【請求項４】
制御部は放電電極部の軸線と回転軸との交差角の変更を行うものであることを特徴とする請求項２又は３記載の静電霧化装置。
【請求項５】
制御部はモータ部の回転速度の変更を行うものであることを特徴とする請求項１乃至４のいずれか一項に記載の静電霧化装置。
【請求項６】
モータ部は正回転、逆回転を交互に行うものであり、制御部は前記正回転及び前記逆回転の回転角の変更を行うものであることを特徴とする請求項１乃至５のいずれか一項に記載の静電霧化装置。
【請求項７】
制御部は静電霧化の開始及び停止と連動して回転駆動部の駆動を開始及び停止させるものであることを特徴とする請求項１乃至６のいずれか一項に記載の静電霧化装置。
【請求項８】
制御部は外部環境をセンシングした結果を用いて回転駆動部の制御を行うものであることを特徴とする請求項１乃至７のいずれか一項に記載の静電霧化装置。
【発明の詳細な説明】
【技術分野】
【０００１】
本願発明は、静電霧化現象によりナノメータサイズの帯電微粒子液滴を発生させる静電霧化装置に関するものである。
【背景技術】
【０００２】
従来から放電電極部と、放電電極部に対向して位置する対向電極部と、放電電極部に水
を供給する供給手段と、を備え、放電電極部と対向電極部との間に高電圧を印加することで放電電極部に保持される水を霧化させ、帯電微粒子液滴を発生させる静電霧化装置が知られている。放電電極部に水を供給する供給手段としては、吸い上げ式と結露式がある。吸い上げ式は貯水部に溜めた水を、毛細管現象を利用して放電電極部の先端まで搬送するようにしたものである。また、結露式は吸熱体により空気を冷却して、空気中の水分を結露させて結露水を生成し、それを放電電極部まで供給するか、あるいは、空気中の水分を冷却して放電電極部に直接結露させて放電電極部に結露水を生成させるものである。
【０００３】
さらに、特開２００６−２０５０１３号公報に示されているように、結露式の静電霧化装置において、２つ以上の放電電極部からの帯電微粒子液滴の放出を同時に且つ安定して行い、各放電電極部を冷却するための電力量を殆ど変えることなく、生成される帯電微粒子液滴量を増加できて付着脱臭性能、アレルゲン物質の除去性能、除菌性能を向上でき、更に、装置サイズが大型化せず、コンパクト化が図られた静電霧化装置が知られている。
【特許文献１】特開２００６−２０５０１３号公報
【発明の開示】
【発明が解決しようとする課題】
【０００４】
しかしながら、上記いずれの従来例においても、放電電極部及び対向電極部を有する静電霧化ユニットが固定設置されているので、放電電極部から対向電極部に向けて発散される帯電微粒子液滴は特定の方向にのみに発散される。ここで、帯電微粒子液滴をより広い領域に発散させるためには、気流発生手段等の新たな構成を別途追加する必要があった。
【０００５】
本願発明は、上記背景技術に鑑みて発明されたものであり、その目的は、簡単な構造によって広い領域に帯電微粒子液滴を効率よく発散させることができる静電霧化装置を提供することを課題とするものである。
【課題を解決するための手段】
【０００６】
上記課題を解決するために、本願請求項１記載の発明では、放電電極部に水を補給して高電圧を印加することで放電電極部より帯電微粒子液滴を発散させる静電霧化装置において、放電電極部を回転させる回転駆動部と、回転駆動部を制御する制御部と、を備え、回転駆動部は回転動力を生じるモータ部と、モータ部に接続され放電電極部を有する静電無化ユニットが配設された回転支持軸とを備え、放電電極部の軸線と交差する回転軸を有するものであって、放電電極部を回転させることにより、帯電微粒子液滴の発散方向を変化させるものであることを特徴としている。
【０００７】
本願請求項２記載の発明では、上記請求項１記載の静電霧化装置において、放電電極部の軸線と回転軸との交差角が変更可能であることを特徴としている。
【０００８】
本願請求項３記載の発明では、上記請求項１又は２記載の静電霧化装置において、回転支持軸は中程に屈曲部を有するものであることを特徴としている。
【０００９】
本願請求項４記載の発明では、上記請求項２又は３記載の静電霧化装置において、制御部は放電電極部の軸線と回転軸との交差角の変更を行うものであることを特徴としている。
【００１０】
本願請求項５記載の発明では、上記請求項１乃至４のいずれか一項に記載の静電霧化装置において、制御部はモータ部の回転速度の変更を行うものであることを特徴としている。
【００１１】
本願請求項６記載の発明では、上記請求項１乃至５のいずれか一項に記載の静電霧化装置において、モータ部は正回転、逆回転を交互に行うものであり、制御部は前記正回転及び前記逆回転の回転角の変更を行うものであることを特徴としている。
【００１２】
本願請求項７記載の発明では、上記請求項１乃至６のいずれか一項に記載の静電霧化装置において、制御部は静電霧化の開始及び停止と連動して回転駆動部の駆動を開始及び停止させるものであることを特徴としている。
【００１３】
本願請求項８記載の発明では、上記請求項１乃至７のいずれか一項に記載の静電霧化装置において、制御部は外部環境をセンシングした結果を用いて回転駆動部の制御を行うものであることを特徴としている。
【発明の効果】
【００１４】
本願請求項１記載の発明の静電霧化装置においては、放電電極部を回転駆動部により回転させることで、放電電極部の帯電微粒子液滴の発散方向を変化させることができるので、簡単な構造かつ安価な方法で、帯電微粒子液滴の発散範囲を広げることができる。
【００１５】
本願請求項２記載の発明の静電霧化装置においては、特に、放電電極部の軸線と回転軸との交差角が変更可能であるので、放電電極部の帯電微粒子液滴の発散方向を変化させることができ、より広い領域に帯電微粒子液滴を発散できる。
【００１６】
本願請求項３記載の発明の静電霧化装置においては、特に、回転支持軸が中程に屈曲部を有することにより、屈曲部によって放電電極部の軸線と回転軸との交差角が変更することができるので、容易に放電電極部の帯電微粒子液滴の発散方向を変化させることができる。
【００１７】
本願請求項４記載の発明の静電霧化装置においては、特に、制御部によって放電電極部の軸線と回転軸との交差角の変更を行うことにより、帯電微粒子液滴の発散方向の変更が全方位に対してきめ細かく行うことができる。
【００１８】
本願請求項５記載の発明の静電霧化装置においては、特に、モータ部の回転速度を変更することにより、遠心力による帯電微粒子液滴の発散時の発散速度を変更し、発散距離を変更することができる。
【００１９】
本願請求項６記載の発明の静電霧化装置においては、特に、モータ部の正回転及び逆回転の回転角の変更を行うことができるので、帯電微粒子液滴の発散領域を狙いとする方向のみでかつ広い領域に設定することができるので、効率良く帯電微粒子液滴を発散することができる。
【００２０】
本願請求項７記載の発明の静電霧化装置においては、特に、制御部は静電霧化の開始及び停止と連動して回転駆動部の回転機構の駆動を開始及び停止させるものであるので、静電霧化停止時に回転機構の駆動を停止することにより消費されるエネルギー効率を上げることができる。
【００２１】
本願請求項８記載の発明の静電霧化装置においては、特に、制御部にて外部環境をセンシングした結果を用いて、回転駆動部の制御を行うことにより、例えば、帯電微粒子液滴発散対象物の位置、帯電微粒子液滴の空間濃度、臭気の強さ、アレルゲン物質の位置などの検出結果に基づいて帯電微粒子液滴の発散領域を変更し、帯電微粒子液滴の作用効果を向上させることができる。
【発明を実施するための最良の形態】
【００２２】
図１〜図３は、本願発明の第１の実施形態である静電霧化装置を示している。例えば、図１に示すように、放電電極部１１に水を補給して高電圧を印加することで放電電極部１１より帯電微粒子液滴を発散させる静電霧化装置Ａにおいて、放電電極部１１を回転させる回転駆動部２０と、回転駆動部２０を制御する制御部３１と、を備え、回転駆動部２０は、回転動力を生じるモータ部２２と、モータ部２２に接続されて先端に放電電極部１１が配設された回転支持軸２１と、を有し、放電電極部１１の軸線である帯電微粒子液滴発散方向中心軸５０と交差する回転軸５０を有するものであって、帯電微粒子液滴の発散方向を変化させるものである。また、放電電極部１１の軸線である帯電微粒子液滴発散方向中心軸５０と回転軸５１との交差角が変更可能であり、回転支持軸２１は中程に屈曲部２３を有している。ここで、放電電極部１１の軸線である帯電微粒子液滴発散方向中心軸５０と回転軸５０との交差については、それぞれの軸を二次元平面に投影した場合に交差するものであり、ねじれの関係も含むものである。
【００２３】
また、制御部３１は静電霧化の開始及び停止と連動して回転駆動部２０の駆動を開始及び停止させるものである。
【００２４】
以下、この実施形態の静電霧化装置を、より具体的詳細に説明する。図１に示すように、静電霧化装置Ａは静電霧化ユニット１０、回転駆動部２０、高電圧印加部３０、制御部３１及びセンサ部３２で構成されている。
【００２５】
静電霧化ユニット１０は、冷却部１４と放熱部１５とペルチェモジュール１６とを有する熱交換部１３の冷却部１４上に放電電極部１１を立設するとともに、この放電電極部１１の側方を囲むように断面円環状を成す保持部材１９を熱交換部１３に取り付け、保持部材１９の先端開口縁部に対向電極部１２を固定させたものである。
【００２６】
熱交換部１３は、通電により冷却側及び放熱側を形成するペルチェモジュール１６を用いたものであり、ペルチェモジュール１６の冷却側に冷却部１４が接続されており、ペルチェモジュール１６の放熱側に放熱部１５が接続されている。なお、冷却部１４としては熱伝導率が高く且つ電気伝導率の低い（絶縁性の）材料を用い、放熱部１５としては熱伝導率の高い材料（例えばアルミニウム）を用いる。
【００２７】
放電電極部１１は冷却部１４上に立設されて円柱形状の部材であり、熱伝導率が高く且つ電気伝導率の高い材料（例えば銅）を用いてその先端は鋭利な円錐状となるように形成されている。放電電極部１１には高電圧印加部３０より、例えば±２〜１５ｋＶ程度の高電圧が印加され、保持部材１９の先端開口縁部の放電電極部１１と対をなす位置に設置される対向電極部１２は接地もしくは放電電極部１１に印加される高電圧よりも十分に低い電圧が印加される。このとき、対向電極部１２は静電霧化の安定のために存在することが望ましいが、放電電極部１１に印加される電圧が±１０ｋＶ以上などのように十分に高い電圧であれば存在しなくても良い。
【００２８】
放電電極部１１はペルチェモジュール１６で冷却された冷却部１４によって冷却される。冷却された放電電極部１１によって、放電電極部１１近傍の空気中の水分を結露させて結露水を放電電極部１１表面に生成し、この結露水が放電電極部の先端で高電圧によって帯電微粒子液滴となって発散される。
【００２９】
このペルチェモジュール１６による結露の場合は、放電電極部１１の冷却効率向上のために、ペルチェモジュール１６の反対側の表面からの熱を放出する放熱部１５はフィン形状の放熱フィン１５ａを有し、また放熱部１５への送風装置が存在することが望ましい。
【００３０】
また、図２に示すように、水供給タンク１７から放電電極部１１まで水を供給する吸い上げ式でも良い。この場合には、放電電極部１１の内部には断面円形状又は断面楕円形状をした空洞が形成されており、水頭圧または毛細管現象を利用して、この空洞を放電電極部１１の先端まで水が搬送される。この場合、放電電極部１１の下端が直接に水供給タンク１７に挿設された構造としても、別部材である水供給部材１８を介して水供給タンク１７から放電電極部１１へ水供給される構造としてもよい。
【００３１】
図１に示すように、静電霧化ユニット１０には、回転駆動部２０が接続されており、回転駆動部２０は、回転動力を生じるモータ部２２と、先端に放電電極部１１を有する静電霧化ユニット１０が配設されている回転支持軸２１と、を備えている。さらに、モータ部２２は制御部３１と電気的に接続されており、回転速度を一定にする等の制御を行っている。
【００３２】
さらに、制御部３１は高電圧印加部３０と電気的に接続されており、図３に示すように、高電圧印加部３０によって高電圧印加が開始された（Ｓ１００）後に制御部３１が静電霧化の開始を検知した（Ｓ１０１）時点で該検知と連動してモータ部２２の回転駆動を開始し（Ｓ１０２）、静電霧化の停止を検知した（Ｓ１０３）時点で該検知と連動してモータ部２２の回転駆動を停止（Ｓ１０４）し、高電圧印加を停止する処理（Ｓ１０５）が制御部３１で行われる。図１に示すように、放電電極部１１と対向電極部１２と高電圧印加部３０とで形成されている回路内には、該回路内に流れる電流値を測定する電流計（図示せず）が備えてあり、この電流計で計測される電流値が所定範囲内に至った場合に、制御部３１において静電霧化が開始されたと判断してモータ部２２への通電を開始する。
【００３３】
また、図２に示す水供給タンク１７から放電電極部１１に水を供給する場合においては、回転により発生した遠心力により放電電極部１１の先端への水の供給がより迅速に行われるようにすることが可能であり、回転駆動を開始した後に帯電微粒子液滴の霧化を開始する方法も考えられ、水供給を確認してから帯電微粒子液滴の霧化を開始するほうが望ましい。
【００３４】
なお、静電霧化の判定については、上記電流値を基準とした判定方法に限定されることなく、上記回路内の他の電気的変化に基づいて判定するものであってもよい。
【００３５】
制御部３１からの制御によってモータ部２２に回転動力が生じると、モータ部２２に接続されている回転支持軸２１が回転軸５１に対して回転運動を行う。回転支持軸２１の先端に配設されている静電霧化ユニット１０も回転軸５１に対して回転運度を行い、静電霧化ユニット１０に備えられている放電電極部１１も同様に回転軸５１に対して回転運動を行う。
【００３６】
ここで、回転支持軸２１の中程に屈曲部２３を有することによって、放電電極部１１の先端から帯電微粒子液滴が発散される帯電微粒子液滴発散方向中心軸５０と回転軸５１とが一定の角度を有した状態で、静電霧化ユニット１０が回転することとなる。
【００３７】
なお、屈曲部２３は一箇所に限られず、複数の屈曲部２３を有することによって、回転指示軸を複数の円弧を組み合わせた自由曲線状とすることもできる。
【００３８】
さらに、回転駆動部２０が回転する際に、放熱部１５の放熱フィン１５ａが回転により風を切る方向に設けることにより放熱効率が増加し、冷却フィン用の送風装置を省略することもできる。
【００３９】
また、図２に示すような水供給タンク１７から放電電極部１１に水供給するものにおいては、水供給タンク１７からの水頭圧を有効に利用して放電電極部１１への水供給を容易にするように放電電極部１１や水供給部材１８を水供給タンク１７の底面に接するように接続することが望ましく、また回転駆動時の遠心力により放電電極部１１の先端へ水供給を容易にするように回転軸５１と帯電微粒子液滴発散方向中心軸５０を直交させ、帯電微粒子液滴発散方向中心軸５０を大地に対して水平とすることが望ましい。この際に回転軸５１と水供給タンク１７および放電電極部１１の距離を調整して遠心力を調整することにより最適な水供給量を選択することもできる。
【００４０】
また、図１に示すような結露式を用いた放電電極部１１の先端へ水供給をする場合においても、放電電極部１１の側周面に結露した水を回転駆動により発生した遠心力により先端への水供給を迅速に行われるようにすることが可能であり、回転軸５１と帯電微粒子液滴発散方向中心軸５０を直交させることが望ましい。
【００４１】
したがって、放電電極部１１を回転駆動部２０により回転させることで、放電電極部１１の帯電微粒子液滴の発散方向を変化させることができるので、簡単な構造かつ安価な方法で、帯電微粒子液滴の発散範囲を広げることができる。
【００４２】
また、放電電極部１１の軸線である帯電微粒子液滴発散方向中心軸５０と回転軸５１との交差角が変更可能であるので、放電電極部１１の帯電微粒子液滴の発散方向を変化させることができ、より広い領域に帯電微粒子液滴を発散できる。
【００４３】
さらに、回転支持軸２１が中程に屈曲部２３を有することにより、屈曲部２３によって放電電極部１１の軸線である帯電微粒子液滴発散方向中心軸５０と回転軸５１との交差角が変更することができるので、容易に放電電極部の帯電微粒子液滴の発散方向を変化させることができる。
【００４４】
また、制御部３１は静電霧化の開始及び停止と連動して回転駆動部２０の回転機構の駆動を開始及び停止させるものであるので、静電霧化停止時に回転機構の駆動を停止することにより消費されるエネルギー効率を上げることができる。
【００４５】
図４は、本願発明の第２の実施形態である静電霧化装置を示している。ここでは、上記第１の実施形態と相違する事項についてのみ説明し、その他の事項（構成、作用効果等）については、上記第１の実施形態と同様であるのでその説明を省略する。
【００４６】
制御部３１は屈曲部２３の屈曲角度の変更を行い、モータ部２２の回転速度の変更を行うものである。また、モータ部２２は正回転、逆回転を交互に行うものであり、制御部３１は前記正回転及び前記逆回転の回転角の変更を行う。さらに、制御部３１は外部環境をセンシングした結果を用いて回転駆動部の制御を行う。
【００４７】
以下、この実施形態の静電霧化装置を、より具体的詳細に説明する。図４に示すように、モータ部２２及び屈曲部２３は制御部３１と電気的に接続されており、さらに、制御部３１は外部環境をセンシングするセンサ部３２と電気的に接続されている。
【００４８】
モータ部２２は制御部３１からの信号によって、回転速度を変更することが出来る機構を有しており、制御部３１はモータ部２２の回転速度を制御することができる。また、屈曲部２３は制御部３１からの信号によって、回動して屈曲角度を変更して一定の屈曲角度を保持することができる回動機構を有しており、制御部３１は屈曲部２３の屈曲角度を制御することができる。
【００４９】
図５に示すように、モータ部２２は駆動により静電霧化ユニット１０を一方向へ回転させるのみでなく、回転起動上のある円弧範囲内での往復運動を行えるように正回転、逆回転を交互に行う機構を備えるものである。モータ部２２は制御部３１からの信号によって、正回転及び逆回転の回転角を変更することが出来る機構を有しており、制御部３１はモータ部２２の回転角を制御することができる。
【００５０】
さらに、制御部３１は外部環境をセンシングするセンサ部３２からの信号によって、外部環境に応じた帯電微粒子液滴の発散方向や発散量を制御するために、適切なモータ部２２の回転速度及び回転角、屈曲部２３の屈曲角度を算出して、モータ部２２及び屈曲部２３へ制御信号を送信して制御を行う。外部環境とこれに対応する帯電微粒子液滴の最適な発散方向や発散量との関係を予めメモリ部３３に記憶させておいて、制御部３１が当該関係を参照することによって制御内容を決定することもできる。
【００５１】
ここで、センサ部３２は帯電微粒子液滴の霧化の状態や周囲の温度、湿度、帯電状態といった環境状態を電流計、帯電電位計、温度計、湿度計といった群からなるものや、帯電微粒子液滴発散対象の位置、帯電微粒子液滴の空間濃度、臭気の強さ、アレルゲン物質の位置などの検出することができるセンサから構成することができる。これらの信号をもとに制御部３１によって制御させることにより、帯電微粒子液滴をより広い範囲に発散することや、帯電微粒子液滴の少ない空間や不必要な方向には発散しないなど選択的に発散させるといった動作も行うことができる。
【００５２】
例えば、空気清浄機などのように静電霧化装置が内蔵されているもののように、正面方向にのみ帯電微粒子液滴を発散させることを望まれるものにおいて、ある範囲内のみを集中的に帯電微粒子液滴発散させるものである。この際に、センサ部３２の信号により帯電微粒子液滴の霧化を実施したい対象の位置に応じて回転角を変更し、帯電微粒子液滴発散領域を変更することが望ましい。
【００５３】
なお、制御部３１はセンサ部３２とは異なる外部からの操作によりモータ部２２の回転速度及び屈曲部２３の屈曲角度を任意に変更することができる処理を備えていても構わない。
【００５４】
図６に本発明の制御部３１の動作チャートの一例を示す。センサ部３２からの信号に基づき、例えば、帯電微粒子液滴発散対象の位置、帯電微粒子液滴の空間濃度、臭気の強さ、アレルゲン物質の位置などの検出結果から、モータ部２２の回転駆動の開始、停止の判断（Ｓ２００、Ｓ２０７）を行い、回転駆動を開始し持続している場合にはさらにセンシング結果に基づいて、回転速度及び回転角の変更（Ｓ２０１〜Ｓ２０４）、屈曲部２３の屈曲角度の変更（Ｓ２０５、Ｓ２０６）を行うことによって、帯電微粒子液滴の発散領域の変更を行うものである。
【００５５】
また、放電電極部１１の先端への水の供給を静電霧化ユニット１０の回転駆動による遠心力を有効に利用することによって容易にすることが可能であり、モータ部２２の回転速度を制御することによって、遠心力を調整することができる。放電電極部１１と対向電極部１２と高電圧印加部３０とで形成されている回路内には、該回路内に流れる電流値を測定する電流計（図示せず）が備えてある。この電流計で計測される電流値を用いて帯電微粒子液滴の発散量を制御部３１で算出して適切な発散量となるようにモータ部２２の回転速度を制御することもできる。
【００５６】
したがって、制御部３１によって放電電極部１１の軸線である帯電微粒子液滴発散方向中心軸５０と回転軸５１との交差角の変更を行うことにより、帯電微粒子液滴の発散方向の変更が全方位に対してきめ細かく行うことができる。
【００５７】
また、モータ部２２の回転速度を変更することにより、遠心力による帯電微粒子液滴の発散時の発散速度を変更し、発散距離を変更することができる。
【００５８】
しかも、モータ部２２の正回転及び逆回転の回転角の変更を行うことができるので、帯電微粒子液滴の発散領域を狙いとする方向のみでかつ広い領域に設定することができるので、効率良く帯電微粒子液滴を発散することができる。
【００５９】
さらに、制御部３１にて外部環境をセンシングした結果を用いて、回転駆動部２０の制御を行うことにより、例えば、帯電微粒子液滴発散対象物の位置、帯電微粒子液滴の空間濃度、臭気の強さ、アレルゲン物質の位置などの検出結果に基づいて帯電微粒子液滴の発散領域を変更し、帯電微粒子液滴の作用効果を向上させることができる。
【図面の簡単な説明】
【００６０】
【図１】本願発明の第１の実施形態である静電霧化装置の構成を示すブロック構成図である。
【図２】本願発明の第１の実施形態の変形例である静電霧化装置における静電霧化ユニット及び回転駆動部の構成を示すブロック構成図である。
【図３】本願発明の第１の実施形態である静電霧化装置における回転駆動の開始及び停止の判断処理のフローチャートである。
【図４】本願発明の第２の実施形態である静電霧化装置の構成を示すブロック構成図である。
【図５】同静電霧化装置における正回転、逆回転の往復運動を示す概略説明図である。
【図６】同静電霧化装置における回転駆動部の駆動開始及び停止判断処理と回転速度、回転角及び屈曲角度の変更処理のフローチャートである。
【符号の説明】
【００６１】
Ａ  静電霧化装置
１０  静電霧化ユニット
１１  放電電極部
１２  対向電極部
１３  熱交換部
１４  冷却部
１５  放熱部
１５ａ  放熱フィン
１６  ペルチェモジュール
１７  水供給タンク
１８  水供給部材
１９  保持部材
２０  回転駆動部
２１  回転支持軸
２２  モータ部
２３  屈曲部
３０  高電圧印加部
３１  制御部
３２  センサ部
３３  メモリ部
【図１】
2008086961.tif 000003
【図２】
2008086961.tif 000004
【図３】
2008086961.tif 000005
【図４】
2008086961.tif 000006
【図５】
2008086961.tif 000007
【図６】
2008086961.tif 000008